(57)【要約】      （修正有）【課題】太陽光などをエネルギー源として水を押し上げる。【解決手段】タンクの中の圧縮空気を作動流体にして、ノズル１、２、３を通し大気中に放出した時、タンクの中の圧力とノズル１から吹き出される作動流体の圧力は同じで、ノズル１と２の間にジェット作用が働き真空が形成され、地上の水は、吸水されるため、作動流体と吸水が合体して混合流体を作り、ノズル１と２の口径を同じくする事によって、混合流体の圧力は、合体した水量分高くなり、この圧力をノズル３まで保持するため、ノズル３の口径を、ノズル２の口径より少々小さくし、バルブを占め、混合流体の大気中に放出を止める事によって、混合流体の全量が逆止弁を押し開き、元のタンクの中に戻されるに余り有る圧力を有することになり、タンクの容積には余分な水量であり、この装置全体の圧力を押し揚げるため、ただ１ケ所、開放された上の貯水池に水は押し揚げられる。【選択図】図１
2008144747.tif 000002
【特許請求の範囲】
【請求項１】
太陽光の熱量によって自然に気化され、永久に保持される圧縮気体を永久ジェットポンプの作動流体にして、水を吸水にする。
【発明の詳細な説明】
【発明の詳細な説明】
【産業上の利用分野】
【０００１】  地球上の気体は太陽光の熱量によって気化され、莫大に膨張して大気を形成すると共に、地球の引力の働きによって大気圧を形成しているのである、従って、地球上のすべての水面は、大気圧との圧力の合点になるのである、また、開放されたタンクの中の気圧は、大気圧と同じくなり相殺されるため、０気圧と位置付けた時、２ｋｇ／ｃｍ２の圧力で圧縮された圧縮気体の質量は２倍になり、１０ｋｇ／ｃｍ２の圧力で圧縮された圧縮気体の質量は１０倍になる、従って、１０ｋｇ／ｃｍ２の莫大な膨張圧力を有するのである、従って、水の比重は１であり、タンクの中に満杯に水を入れ、タンクの底に水道管を取り付け水道管の片方を上の貯水池の底に接続しタンクの中に１０ｋｇ／ｃｍ２の圧力の圧縮空気を４／５ほど作る事によって、タンクの中の水は１００ｍ上の貯水池に押し揚げられる、
〔図１〕従って、タンクの中の圧縮空気を作動流体にして、ノズル１から吹き出させ、ノズル２を通じてノズル３から大気中に放出する事によって、ノズル１とノズル２の間にジェット作用が働き、自然に真空が形成されるのである、従って、真空が形成される所に水道管を取り付け、水道管の片方を下の貯水池などの水中に入れる事によって、水道管にも真空が形成されるため、貯水池などの水は、大気圧によって、ノズル１とノズル２の間に押し揚げられ、押し揚げられた水と作動流体が合体して、混合流体となって、ノズル２を通じてノズル３から大気中に放出されるのである、従って、ノズル１の口径とノズル２の口径を同じくする事によって、混合流体の圧力は、合体した水量分高くなり、質量は重くなり、速度は遅くなるのである、従って、混合流体の圧力を高く保持するため、ノズル３の口径を、ノズル２の口径より少々小さくする事によって、混合流体の圧力をノズル２からノズル３まで高く保持出来るのである、従って、ノズル２とノズル３の間に逆止弁を取り付け、逆止弁の片方をタンクに接続し、バルブを占め、混合流体の大気中の放出を止める事によって、混合流体は逆止弁を押し開き、元のタンクの中に戻るに余り有る圧力を有するのである、従って、タンクの中に戻された混合流体の内の水量は、タンクの容積には余分な水量であり、装置全体の圧力を押し揚げるため、タンクの中に補給された水量は、ただ１ケ所、開放された上の貯水池に、自然に押し揚げられるのである、
【背景技術】
【０００２】  従来のジェット作用を利用するすべての作動流体は、火力や人力などの消費エネルギーをデネルギー源にするか、使い捨てである
【発明が解決しょうとする課題】
【０００３】  太陽光の熱量や地球の引力をエネルギー源にした、永久ジェットポンプを作る事、
【課題を解決する手段】
【０００４】  太陽光の熱量によって永久に保持される圧縮空気をエネルギー源や作動流体にして、地球の引力を活用して、水をジェットポンプの吸水や圧縮空気の圧力の安定に活用した、
【作用】
【０００５】  伸縮作用に優れた圧縮空気のジェット作用によって真空を形成する作用は、大気圧によって水を押し揚げる作用や水を吸水する作用を始め、水と作動流体を合体させ、混合流体の圧力を高くする作用を誘発する、
【実施例】
【０００６】  キリ吹きを始め数々のジェット作用の原理を参考に発明した、
【発明の効果】
【０００７】  水力発電や飲料水を始め、高地や砂漠の緑化など、生命の源になる。
【図１】
2008144747.tif 000003
【手続補正書】
【提出日】平成19年5月11日(2007.5.11)
【手続補正１】
【補正対象書類名】明細書
【補正対象項目名】全文
【補正方法】変更
【補正の内容】
【発明の詳細な説明】
【産業上の利用分野】
【０００１】  地球上の気体は、太陽光の熱量によって気化され、莫大に膨張して大気を形成すると共に、地球の引力の働きによって大気圧を形成している、従って、地球上のすべての水面は大気圧との圧力の合点になる、また、開放されたタンクの中の気圧も大気圧と同じくなり相殺出来るため、０気圧と位置付けた時、１０ｋｇ／ｃｍ２の圧力に圧縮された圧縮気体の質量は１０倍になり、３０ｋｇ／ｃｍ２の圧力に圧縮された圧縮気体の質量は３０倍になり、放熱状態の圧縮気体の圧縮率は皆な同じくなる、また、液体は、圧力による圧縮率は少なく、水の比重は１である、従って、タンクの中に満杯の水を入れ、タンクの底に水道管を取り付け、水道管の片方を上の貯水池の底に接続し、タンクの中に１０ｋｇ／ｃｍ２の圧力の圧縮空気を４／５ほど作る事によって、タンクの中の水は１００ｍ上の貯水池に押し揚げられ、３０ｋｇ／ｃｍ２の圧力の圧縮空気を作った時には、３００ｍ上の貯水池に水は押し揚げられ、その水深の水圧によって、タンクの中の圧縮空気の圧力は安定する、
図１、従って、バルブ１を開き、タンクの中の圧縮空気自身を作動流体にして、ノズル１から吹き出させ、ノズル２を通じてノズル３から大気中に放出する事によって、ノズル１とノズル２の間にジェット作用が働き、自然に真空を形成する、従って、その真空が形成された所に水道管を取り付け、水道管の片方を下の貯水池などの水中に入れる事によって、水道管にも真空を形成するため、貯水池などの水は、大気圧によって、ノズル１とノズル２の間に押し揚げられると同時に、ジェット作用によって、水は、ノズル２の中に吸い込まれるため、作動流体と吸い込まれた水が合体して、自然に混合流体を作り、ノズル２から吹き出されるため、ノズル１の口径とノズル２の口径を同じくする事によって、混合流体の圧力は、作動流体が吸い込み合体した水量分高くなり、たえず、この装置で一番高い圧力を作る、従って、混合流体の高い圧力をノズル２からノズル３まで保持するため、ノズル３の口径を、ノズル２の口径より少々小さくする、従って、ノズル２とノズル３の間に逆止弁を取り付け、逆止弁の片方をタンクに接続し、バルブ２を閉じ、混合流体の大気中に放出を止める事によって、混合流体の全量は逆止弁を押し開き、元のタンクの中に戻される、従って  タンクの中に戻された混合流体の内の水量は、タンクの容積には余分な水量であり、この装置全体の圧力を押し揚げるため、ただ１ヶ所、開放された上の貯水池に、水は自然に押し揚げられる。
【背景技術】
【０００２】  従来のジェット作用を利用するすべての作動流体は、消費エネルギーをエネルギー源にしている。
【発明が解決しようとする課題】
【０００３】  太陽光の熱量や地球の引力をエネルギー源にした、永久装置を作る事。
【課題を解決する手段】
【０００４】  太陽光の熱量によって永久に保持される、タンクの中の圧縮気体自身をジェットポンプの作動流体にする事によって、真空を形成するため、大気圧によって水を押し揚げ、圧縮に優れた作動流体が、伸縮率の少ない液体を合体させる事によって、混合流体の圧力を高く出来るため、永久装置を可能にした。
【作用】
【０００５】  伸縮作用に優れた作動流体のジェット作用によって真空を形成する作用は、大気圧によって水を押し揚げる作用や水を吸水する作用を始め、作動流体と吸水を合体させ、混合流体の圧力を高くする、様々な作用を誘発する。
【実施例】
【０００６】  昔から活用される原理や作用の集合であり、様々のジェット作用の原理を参考にした。
【発明の効果】
【０００７】  水力発電や飲料水を始め、高地や砂漠の緑化など、動植物の生命や動力の源になる
【図面の簡単な説明】
【０００８】
【図１】  約３ｋｇ／ｃｍ２以上の圧力の圧縮気体をジェットポンプの作動流体にする事によって、ノズル１と２の口径を同じくしても真空が形成され、大気圧によって水が押し揚げられると共に吸い込まれ、圧縮に優れた作動流体が、伸縮の少ない液体と合体させる事によって、混合流体の圧力を、たえず、この装置で一番高く出来る、従って、混合流体の高い圧力をノズル３まで保持するため、ノズル３の口径を、ノズル２の口径より小さくし、ノズル２と３の間に逆止弁を取り付け、逆止弁の片方をタンクに接続し、バルブ２を閉じる事によって、混合流体はタンクの中に戻され、吸水は上の貯水池に、自然に押し揚げられるのである。